(57)【要約】【課題】  耐久性があり経年使用によっても適切に形状を保つことが可能で、軽量かつ衝撃吸収性が高く耐熱性、断熱性の高い被服用の芯材を提供することを目的とする。【解決手段】  身体に着用する被服に用いられる被服用芯材１００において、前記被服用芯材１００は多数の孔１１ａ，１１ｂを有し、前記孔１１ａ，１１ｂは隙間を最小限にするように並べられてハニカム構造を形成していることを特徴とする。【選択図】  図１
2019049072.tif 000002
【特許請求の範囲】
【請求項１】
身体に着用する被服に用いられる被服用芯材において、前記被服用芯材は多数の孔を有し、前記孔は隙間を最小限にするように並べられてハニカム構造を形成していることを特徴とする被服用芯材。
【請求項２】
前記被服用芯材はシリコーン樹脂により形成されていることを特徴とする請求項１記載の被服用芯材。
【請求項３】
前記被服用芯材は、第１層および第２層が重ね合わされた２層構造となっており、前記第１層および前記第２層にそれぞれ前記孔が形成されていることを特徴とする請求項１または２記載の被服用芯材。
【請求項４】
前記第１層の孔の位置と前記第２層の孔の位置は、水平方向にずれた状態で設けられていることを特徴とする請求項３記載の被服用芯材。
【請求項５】
前記被服用芯材は、前記多数の孔が形成された多孔部と前記多孔部の周囲を囲むように形成された周縁部とから構成され、前記周縁部の厚みは前記多孔部の厚みよりも小さく形成されていることを特徴とする請求項１から４のいずれか一項記載の被服用芯材。
【請求項６】
前記孔の形状は、正六角形、正三角形または正円形であることを特徴とする請求項１から５のいずれか一項記載の被服用芯材。
【請求項７】
前記被服用芯材は、帽子用のツバの芯材として使用されることを特徴とする請求項１から６のいずれか一項記載の被服用芯材。
【発明の詳細な説明】
【技術分野】
【０００１】
本発明は、身体に着用する衣服、靴、帽子、アクセサリー、サポーター等の被服に用いられる芯材に関するものである。
【背景技術】
【０００２】
従来から、身体に着用する衣服、靴、帽子、アクセサリー、サポーター等の被服において必要な箇所に芯材を挿入することで形状の保持や補強および身体を保護することが行われている。具体的には、ブラジャー、ボディスーツ、ブラスリップ、ブラキャミソール、ビスチェ、レオタード、水着およびスポーツウェアなどの女性用の衣料においては乳房の形状を保持するための乳房カップが用いられ、腰痛用のサポーターやコルセットにおいては、腰を支えてサポートするための保護用芯材が用いられる。
また帽子の前面に張り出して設けられる帽子用のツバにおいては、ツバの内部に芯材を挿入することで形状を保持することが一般的であり、ツバ部に使用する芯材として多種多様な素材が使用されている。
【０００３】
特許文献１は「柔軟復元性庇芯材を有する帽子」に関するものであり、全面に又は部分的に多数の切込みを設けた弾性合成樹脂板よりなる庇芯材を使用して必要な方向におのみ柔軟性を有し、他の方向には剛性を保つことが記載されている（請求項１、第３頁左欄第１０行〜第１７行）。
特許文献２は「帽子の庇芯」に関するものであり、厚紙又は発泡スチロール板等を三日月状に裁断し、その内側に一定曲率の縁を形成して、縁の両端部に縫込み舌片を一体に突設させた庇芯が記載されている（請求項１）。
また特許文献３は「作業帽および作業帽用ツバの芯材」に関するものであり、ツバ部２及び芯材３は帽子の庇状であって、略半円形状、略三日月形状若しくは略湾曲横長形状とされ、芯材３は可撓性を有するプラスチック板により形成されていることが記載されている（その段落００２４，００２５）。
【先行技術文献】
【特許文献】
【０００４】
【特許文献１】特開昭６１−１０２４０４号公報
【特許文献２】実開昭５１−１０１２１９号公報
【特許文献３】特開２０１７−００８４２２号公報
【発明の概要】
【発明が解決しようとする課題】
【０００５】
食品工場や医療現場等で着用される作業着や作業帽に関しては衛生管理を行うことが大変重要であり、毎日または１日おきに漂白剤やお湯等により洗濯する必要がある。作業着や作業帽等の被服に挿入された芯材は、着用および洗濯を繰り返すことで急速に劣化して形状変化を起こし、ねじれや折れ、ゆがみが発生してしまう。
また作業帽のツバは、作業中の粉塵や落下物から顔面を保護する、裸線の接触による感電を防ぐ、正面にある尖ったものや角から顔面を保護する、温度の高い設備にツバが接触した場合や機械加工の際に高温の切り屑が飛来した場合に顔面を保護する等大変重要な役割を果たし、芯材の折れやゆがみは労働災害を引き起こす危険性がある。
このように芯材は、経年使用時でも形状を保つことが重要でありかつ外部からの衝突による衝撃を吸収し、熱に強く耐熱性があり断熱性の高いものであることが望まれている。
【０００６】
しかしながら、特許文献１―３に記載された帽子用のツバの芯材は、弾性合成樹脂板、厚紙、発泡スチロール板、プラスチック板等の熱に弱い素材で形成されているため、温度の高いお湯等によって繰り返し洗濯した場合はすぐに劣化して形状変化を起こすうえ、ツバが高温の機械と接触した場合や高温の切り屑が飛来した場合は芯材が燃焼したり溶けだす可能性があり大変危険である。
また、芯材の形状を保つことや柔軟に変形し復元することは考慮されているが、芯材の衝撃吸収性に関してはなんら考慮されていない。
【０００７】
そこで本発明は、耐久性があり経年使用によっても適切に形状を保つことが可能で、軽量かつ衝撃吸収性が高く耐熱性、断熱性の高い被服用の芯材を提供することを目的とする。
【課題を解決するための手段】
【０００８】
本発明は、身体に着用する被服に用いられる被服用芯材において、前記被服用芯材は多数の孔を有し、前記孔は隙間を最小限にするように並べられてハニカム構造を形成していることを特徴とする。
本発明によれば、被服用芯材に多数の孔が形成されているため、軽量化することができ最小限の材料で被服用芯材を提供することが可能で、さらに多数の孔により通気性がよく蒸れにくい芯材を提供することが可能となる。
またハニカム構造（蜂の巣構造）の軽量、高強度、高剛性、表面積が広い、衝撃吸収性が高い、断熱性能がある等優れた性質により、作業中の粉塵や落下物、正面にある尖ったものや角等から受ける衝撃を吸収して顔面を適切に保護することが可能となり、温度の高い設備や高温の切り屑にツバが接触した場合でも断熱効果によって火傷等による身体の損傷を防ぐことが可能となる。
【０００９】
本発明は、前記被服用芯材がシリコーン樹脂により形成されていることを特徴とする。
本発明によれば、シリコーン樹脂の特徴である熱安定性、絶縁性、自己消火性により、充分な強度で耐熱性の高い芯材を提供することができる。
【００１０】
本発明の被服用芯材は、第１層および第２層が重ね合わされた２層構造となっており、前記第１層および前記第２層にそれぞれ前記孔が形成されていることを特徴とする。
また本発明は、前記第１層の孔の位置と前記第２層の孔の位置は、水平方向にずれた状態で設けられていることを特徴とする。
本発明によれば、被服用芯材を２層構造とし、第１層の孔と第２層の孔の位置をずらした状態に形成することで、被服用芯材の強度および柔軟性を高め、経年使用によるツバ折れや型崩れ等の破損を防止することが可能となる。
【００１１】
本発明の被服用芯材は、前記多数の孔が形成された多孔部と前記多孔部の周囲を囲むように形成された周縁部とから構成され、前記周縁部の厚みは前記多孔部の厚みよりも小さく形成されていることを特徴とする。
本発明によれば、多孔部を２層構造として被服用芯材の強度および柔軟性を高め、多孔部の周囲に形成された周縁部を多孔部の厚みよりも小さく形成することにより、身体に着用する衣服、靴、帽子、アクセサリー、サポーター等の被服において必要な箇所に芯材を簡単に挿入することが可能となる。
【００１２】
本発明の被服用芯材は、前記孔の形状が、正六角形、正三角形または正円形であることを特徴とする。
本発明によれば、孔の形状を芯材の用途によって適宜選択することが可能である。例えば、ハニカム構造（蜂の巣構造）を形成する孔の形状を正六角形にする場合、正六角形は辺（面）の数が多いため、一方向から力が加わった場合にその衝撃を他の面に分散して衝撃を吸収する力が強い芯材を提供することができる。ハニカム構造（蜂の巣構造）を形成する孔の形状を正三角形にする場合、正三角形は外部から力が加わっても変形し難い構造上の特徴があるため、強度が強い芯材を提供することが可能となる。
このように、芯材の用途によって孔の形状を選択することが可能であるうえ、第１層と第２層に設けられる孔の形状を異なる形状とすることや芯材の領域ごとに異なる孔の形状とすることも可能である。
【００１３】
本発明の被服用芯材は、帽子用のツバの芯材として使用されることを特徴とする。
外部からの衝突による衝撃を吸収し、熱に強く耐熱性があり断熱性の高い本発明の被服用芯材は、作業帽のツバのように形状の保持や補強だけでなく顔面等の身体を保護するための用途として好適に使用可能である。
【発明の効果】
【００１４】
本発明によれば、被服用芯材に多数の孔が形成されているため、軽量化することができ最小限の材料で被服用芯材を提供することが可能で、さらに多数の孔により通気性がよく蒸れにくい芯材を提供することが可能となる。
またハニカム構造（蜂の巣構造）の軽量、高強度、高剛性、表面積が広い、衝撃吸収性が高い、断熱性能がある等優れた性質により、作業中の粉塵や落下物、正面にある尖ったものや角等から受ける衝撃を吸収して顔面を適切に保護することが可能となり、温度の高い設備や高温の切り屑にツバが接触した場合でも断熱効果によって火傷等による身体の損傷を防ぐことが可能となる。
そして被服用芯材を２層構造とし、第１層の孔と第２層の孔の位置をずらした状態に形成することで、被服用芯材の強度および柔軟性を高め、経年使用によるツバ折れや型崩れ等の破損を防止することが可能となる。
【図面の簡単な説明】
【００１５】
【図１】本発明を適用した第１の実施形態の被服用芯材１００を示す平面図である。
【図２】上記第１の実施形態の被服用芯材１００を示すＡ−Ａ断面図である。
【図３】上記第１の実施形態の被服用芯材１００の多孔部１０（第１層１０ａは実線、第２層１０ｂは破線で示す）を示す拡大図である。
【図４】上記第１の実施形態の被服用芯材１００を使用した作業帽を示す模式図である。
【図５】本発明を適用した第２の実施形態の被服用芯材２００の多孔部２１０（第１層２１０ａは実線、第２層２１０ｂは破線で示す）を示す拡大図である。
【図６】上記実施形態の被服用芯材３００のその他の例（多孔部３１０）（第１層３１０ａは実線、第２層３１０ｂは破線で示す）を示す拡大図である。
【図７】上記第１の実施形態の被服用芯材１００のその他の例１を示す平面図である。
【図８】上記第１の実施形態の被服用芯材１００のその他の例２を示す拡大図である。
【発明を実施するための形態】
【００１６】
本発明を実施するための形態を以下に図を用いて詳細に説明する。
【００１７】
（本発明の第１の実施形態）
図１は、本発明を適用した第１の実施形態の被服用芯材１００を示す平面図であり、図２は、上記第１の実施形態の被服用芯材１００を示すＡ−Ａ断面図である。図３は、上記第１の実施形態の被服用芯材１００の多孔部１０（第１層１０ａは実線、第２層１０ｂは破線で示す）を示す拡大図である。
本実施形態の被服用芯材１００は、身体に着用する衣服、靴、帽子、アクセサリー、サポーター等の被服の必要な箇所に挿入して形状の保持や補強および身体を保護するための芯部材であり、中心箇所に多数の孔が形成された多孔部１０と、多孔部１０の周囲を囲むように形成された周縁部２０とから構成される。
被服用芯材１００は、全体として三日月形状に湾曲した状態に形成され、シリコーン樹脂から形成される。シリコーン樹脂は２２０℃以下では変化しない熱安定性、絶縁性、自己消火性が特徴として挙げられ、充分な強度で耐熱性の高い芯材を提供することができる。ここで被服用芯材１００を帽子用のツバの芯材として使用する場合を例として説明したが、三日月形状に限定されず使用する被服によって適宜選択可能である。
被服用芯材１００は、長さ約１８ｃｍ、幅約７．５ｃｍ、厚み約０．１ｃｍとなっている。
【００１８】
多孔部１０は、多数の孔１１ａ，１１ｂ，・・・が形成された箇所であり、被服用芯材１００の中心部に設けられている。多孔部１０は２層構造となっており、第１層１０ａと第２層１０ｂが重ね合わされて接合した状態で形成される。金型にシリコーン樹脂を流し込むことによって第１層１０ａと第２層１０ｂが一体成形されていてもよいし、別々に形成された第１層と第２層を接着剤等を使用して接着してもよい。
孔１１ａ，１１ｂの形状は正六角形に形成されており、孔１１ａ，１１ｂは第１層１０ａ，第２層１０ｂに隙間を最小限にするように並べられてハニカム構造（蜂の巣構造）を形成している。また第１層１０ａの孔１１ａと第２層１０ｂの孔１１ｂの位置は、被服用芯材１００の平面に対して水平方向にずれた状態で設けられる。本実施形態においては孔１１ａに対して孔１１ｂは、正六角形の相対する頂点を結んだ対角線の二分の１の長さ分水平方向にずれており、孔１１ａ（正六角形）の中心点に孔１１ｂの頂点が位置するように孔１１ａと孔１１ｂが配置されている。
周縁部２０は、多孔部１０の周囲を囲むように形成された部材で、周縁部２０の厚みは多孔部１０の厚みよりも小さく形成されている。
【００１９】
このように多孔部１０に多数の孔１１ａ，１１ｂが形成されているため、比重が大きいシリコーン樹脂を芯材として使用しても被服用芯材１００を軽量化することができ最小限の材料で被服用芯材１００を提供することが可能で、さらに多数の孔１１ａ，１１ｂにより通気性がよく蒸れにくい芯材を提供することが可能となる。
またハニカム構造（蜂の巣構造）は、軽量、高強度、高剛性、表面積が広い、衝撃吸収性が高い、断熱性能がある等優れた性質をもっており、外部から力が加わった場合にその衝撃を他の面に分散して衝撃を吸収することが可能で、また多数の孔の内部に空気を閉じ込めることによって外部からの熱を通さないようにすることができる。
多孔部１０をハニカム構造（蜂の巣構造）とすることによって、作業中の粉塵や落下物、正面にある尖ったものや角等から受ける衝撃を吸収して顔面を適切に保護することが可能となり、温度の高い設備や高温の切り屑にツバが接触した場合でも断熱効果によって火傷等による身体の損傷を防ぐことが可能となる。
さらに多孔部１０を２層構造とし第１層１０ａの孔１１ａと第２層１０ｂの孔１１ｂの位置をずらした状態に形成することで、被服用芯材１００の強度および柔軟性を高め、経年使用によるツバ折れや型崩れ等の破損を防止することが可能となる。
【００２０】
図４は、上記第１の実施形態の被服用芯材１００を使用した作業帽を示す模式図である。
上述のように形成された被服用芯材１００は、作業用帽子３０のツバ部３１に挿入されて使用される。被服用芯材１００がシリコーン樹脂で形成されかつハニカム構造を有しているため、作業用帽子３０を頻繁に洗濯しても被服用芯材１００の形状安定性および耐熱性によりツバが破損することがないうえ、顔面を適切に保護することが可能となる。
【００２１】
（本発明の第２の実施形態）
図５は、本発明を適用した第２の実施形態の被服用芯材２００の多孔部２１０（第１層２１０ａは実線、第２層２１０ｂは破線で示す）を示す拡大図であり、図６は、上記実施形態の被服用芯材３００のその他の例（多孔部３１０）（第１層３１０ａは実線、第２層３１０ｂは破線で示す）を示す拡大図である。
第１の実施形態の被服用芯材１００の孔１１ａ，１１ｂは正六角形に形成されていたが、本発明の第２の実施形態の被服用芯材２００，３００は、孔を正円形または正三角形としたものであり、その他の構成は、第１の実施の形態と同様であるため、同一部分に同一符号を付して重複する説明を省略する。
被服用芯材２００，３００の多孔部２１０，３１０は、多数の孔２１１ａ，２１１ｂ，３１１ａ，３１１ｂが形成されており第１層２１０ａ，３１０ａと第２層２１０ｂ，３１０ｂの２層構造となっている。
孔２１１ａ，２１１ｂの形状は正円形に形成されており、孔２１１ａ，２１１ｂは第１層２１０ａ，第２層２１０ｂに隙間を最小限にするように並べられてハニカム構造（蜂の巣構造）を形成している。孔２１１ａ，２１１ｂの形状を正円形にすると孔の形状が正六角形の場合と比較すると孔２１１ａ，２１１ｂ同士の隙間が大きくなって、孔２１１ａ，２１１ｂの総面積が小さくなってしまう。しかしながら、孔の形状が正円形であるため被服用芯材２００を簡単に形成することが可能となり、製造の簡略化をすることができる。
また孔３１１ａ，３１１ｂの形状を正三角形にすることも可能である。正三角形は構造上強度が正六角形よりも強くなる。よって、正三角形の孔３１１ａ，３１１ｂを隙間なく並べてハニカム構造（蜂の巣構造）を形成すると、強度が強い頑丈な被服用芯材を提供することが可能となる。
孔２１１ａ，２１１ｂ，３１１ａ，３１１ｂの形状は四角形でもよく、被服用芯材の用途によって適宜選択可能である。
【００２２】
以上、本実施の形態では、被服用芯材１００を帽子のツバ芯として使用する場合を説明したが、ブラジャー、ボディスーツ、ブラスリップ、ブラキャミソール、ビスチェ、レオタード、水着およびスポーツウェアなどの乳房カップやサポーターやコルセットの保護用芯材としても適用可能である。
また、多孔部１０，２１０，３１０は被服用芯材１００，２００，３００の中心箇所全体に設けられていたが、両端部のみに設ける等、被服用芯材１００，２００，３００の一部のみに設けることも可能である。
さらに、本実施形態においては、第１層と第２層に設けられる孔の形状を同様の形状としたが、第１層に設けられる孔の形状を正六角形とし第２層に設けられる孔の形状を正三角形とする等、第１層と第２層に設けられる孔を異なる形状とすることも可能である。例えば孔の形状を正三角形と正六角形とする場合は、正六角形をハニカム構造として使用した場合の特徴である衝撃吸収力の高さと正三角形をハニカム構造として使用した場合の強度の強さを兼ね備えた芯材を提供することができる。
そして、被服用芯材の中心箇所は孔の形状を正六角形とし芯材の両端は孔の形状を正三角形とする等、芯材の領域ごとに異なる孔の形状とすることも可能である（図８）。例えば、芯材の中心箇所は衝突物の衝撃を吸収する作用の大きい正六角形の孔とし芯材の両端はツバ折れや型崩れ等の破損を防ぐために強度の強い正三角形の孔とすることも可能である。
また、本実施形態の多孔部１０は２層構造となっていたが、製造の簡易化および材料費削減の観点から１層構造でもよい（図７）。
【符号の説明】
【００２３】
１００，２００，３００                                    被服用芯材、
１０，２１０，３１０                                      多孔部、
１０ａ，２１０ａ，３１０ａ                                第１層、
１０ｂ，２１０ｂ，３１０ｂ                                第２層、
１１ａ，１１ｂ，２１１ａ，２１１ｂ，３１１ａ，３１１ｂ    孔、
２０                                                      周縁部、
３０                                                      作業用帽子、
３１                                                      ツバ部
【図１】
2019049072.tif 000003
【図２】
2019049072.tif 000004
【図３】
2019049072.tif 000005
【図４】
2019049072.tif 000006
【図５】
2019049072.tif 000007
【図６】
2019049072.tif 000008
【図７】
2019049072.tif 000009
【図８】
2019049072.tif 000010